(57)【特許請求の範囲】
【請求項１】
引戸に設けられた戸車を案内する下レールを有する建具であって、
前記戸車は、外周に前記下レールと係合する湾曲した曲面でなる溝を備え、
前記下レールは、
見込み方向において互いに間隔を隔てた位置に、前記戸車の前記溝と係合して前記引戸を支持する２つの支持部と、
前記２つの支持部の間に上方に突出して、前記溝の曲率より大きな曲率をなす突出部と、
を有し、
前記引戸が前記下レール上に設置されて前記２つの支持部に支持されたときに、前記突出部の上端と前記溝との間に空隙が形成されることを特徴とする建具。
【請求項２】
請求項１に記載の建具であって、
前記突出部の位置は、前記支持部より高いことを特徴とする建具。
【請求項３】
請求項１又は請求項２に記載の建具であって、
前記突出部は、前記２つの支持部を繋ぐ水平面から突出していることを特徴とする建具。
【請求項４】
請求項１乃至請求項３のいずれかに記載の建具であって、
前記突出部の曲率は、前記支持部の曲率と同じか、または、前記支持部の曲率より大きいことを特徴とする建具。
【請求項５】
請求項１乃至請求項4のいずれかに記載の建具であって、
前記突出部は、見込み方向において前記２つの支持部の中央に設けられていることを特徴とする建具。
【発明の詳細な説明】
【技術分野】
【０００１】
本発明は、引戸に設けられた戸車を案内する下レールを有する建具に関する。
【背景技術】
【０００２】
引戸に設けられた戸車を案内する下レールを有する建具としては、例えば、引戸をなす障子の下部に装備されて案内レール上を転動しうるように設けられた戸車を有する引き違い窓が知られている(例えば、特許文献１参照)。このような引き違い窓の下レールは、見付け方向に沿って下枠から上方に突出されたヒレ状の部位の上端が曲面をなすように形成されており、戸車の外周面に設けられ、レールの曲面とほぼ同じ曲率にて湾曲した底をなす溝に、前記下レールの上端が当接されるように障子が載置されて案内されるように構成されている。
【先行技術文献】
【特許文献】
【０００３】
【特許文献１】実開昭５８−６２７６６号公報
【発明の概要】
【発明が解決しようとする課題】
【０００４】
上記の引き違い窓のような引戸は、下レールと戸車との接触面積が広いため、長期にわたって使用していると下レールに施されている塗膜が幅広く剥がれて、素地が目立って露出することにより美観が損なわれるおそれがある。
【０００５】
本発明は、かかる課題に鑑みてなされたものであり、その目的とするところは、引戸を案内する下レールの塗膜の剥がれが目立ちにくい建具を提供することにある。
【課題を解決するための手段】
【０００６】
かかる目的を達成するために本発明の建具は、引戸に設けられた戸車を案内する下レールを有する建具であって、前記戸車は、外周に前記下レールと係合する湾曲した曲面でなる溝を備え、前記下レールは、見込み方向において互いに間隔を隔てた位置に、前記戸車の前記溝と係合して前記引戸を支持する２つの支持部と、前記２つの支持部の間に上方に突出して、前記溝の曲率より大きな曲率をなす突出部と、を有し、前記引戸が前記下レール上に設置されて前記２つの支持部に支持されたときに、前記突出部の上端と前記溝との間に空隙が形成されることを特徴とする建具である。  
このような建具によれば、引戸が下レール上に設置された状態が維持されている初期の段階では、下レールは見込み方向において互いに間隔を隔てた位置に設けられた支持部のみが溝の曲面と接触しているで、塗膜が剥がれたとしても、塗膜の剥がれは下レールの見込み方向において互いに間隔を隔てた位置のみに線状に現れるので、塗膜の剥がれが目立つことを抑えることが可能である。また、長期にわたって使用し支持部または戸車の溝面が摩耗したとしても、２つの支持部の間に設けられた突出部が溝に接触するので、下レールの上端の全面が戸車の溝に接触することはない。このため、長期に使用しても、生じる塗膜の剥がれは３本の線状をなしているので、美観が損なわれることを防止することが可能である。特に、突出部の曲率は溝の曲率より大きいので、突出部と溝との接触面積をより小さくすることが可能である。このため、塗膜の剥がれをより小さくして目立ちにくくすることが可能である。
【０００７】
かかる建具であって、前記突出部の位置は、前記支持部より高いことが望ましい。  
このような建具によれば、突出部の位置が支持部より高いので、長期間使用して、支持部や溝が摩耗したとしても、突出部より先に支持部周辺が溝に接触することを防止することが可能である。
【０００８】
かかる建具であって、前記突出部は、前記２つの支持部を繋ぐ水平面から突出していることが望ましい。  
このような建具によれば、突出部を支持部より確実に高い位置に設けることができるので、長期間使用したとしても、突出部より先に支持部周辺が溝に接触することをより確実に防止することが可能である。
【０００９】
かかる建具であって、前記突出部の曲率は、前記支持部の曲率と同じか、または、前記支持部の曲率より大きいことが望ましい。  
このような建具によれば、突出部の曲率は、支持部の曲率と同じか、または、支持部の曲率より大きいので、支持部より突出部の方が溝との接触面積が小さくなる。このため、突出部が接触して生じる塗膜の剥がれの幅を、少なくとも支持部と接触して生じた塗膜の剥がれの幅以下に抑えることが可能である。
【００１０】
かかる建具であって、前記突出部は、見込み方向において前記２つの支持部の中央に設けられていることが望ましい。  
このような建具によれば、突出部が見込み方向において２つの支持部の中央に設けられているので、突出部が溝と接触する際には、突出部と２つの支持部とがほぼ均等の間隔で溝と接触する。このため、２つの支持部の一方と接触して生じた塗膜の剥がれと突出部と接触して生じた塗膜の剥がれとが近接した位置に生じたり、繋がって幅が広くなってしまうことを防止することが可能である。また、突出部と２つの支持部とがバランス良く溝と接触するので、引戸を安定した状態で支持することが可能である。
【発明の効果】
【００１１】
本発明によれば、引戸を案内する下レールの塗膜の剥がれが目立ちにくい建具を提供することが可能である。
【図面の簡単な説明】
【００１２】
【図１】本実施形態に係る建具の縦断面図である。
【図２】図１におけるＡ部の拡大図である。
【図３】下レールの角部と戸車が有する溝の内周面とに摩耗が生じたときの状態を示す図である。
【図４】下レールの変形例を示す図である。
【発明を実施するための形態】
【００１３】
以下、本発明の一実施形態に係る建具について図面を参照して説明する。  
本実施形態の建具は、例えば、図１に示すような浴室と脱衣室との間に設けられた引き違いタイプの浴室建具１である。
【００１４】
以下の説明においては、建物等に取り付けられた状態の浴室建具１を脱衣室側から見たときに、上下となる方向を上下方向、左右となる方向を左右方向または見付け方向、浴室内外方向である奥行き方向を見込み方向として示す。また、浴室建具１が備える各部材は、単体の状態であっても建物等に取り付けられた状態にて奥行き方向、左右方向、上下方向となる方向にて方向を特定して説明する。
【００１５】
浴室建具１は、躯体に取り付けられ矩形状に枠組みされた枠体３が有する上枠(不図示)の上レール(不図示)及び下枠４の下レール１２、１３に案内されて見付け方向に移動可能な引戸としての内障子５及び外障子６とを有している。
【００１６】
内障子５及び外障子６は、面材(不図示)を囲むように框組みされた框体７を有しており、框体７を構成する下框７ａの見付け方向における端部側に設けられた戸車８が、下レール１２、１３上に載置されて案内される。戸車８は、図２に示すように、外周に下レール１２、１３と係合する湾曲した曲面でなる溝９を備えており、内障子５及び外障子６は、溝９の内周面９ａにて下レール１２、１３に支持され、戸車８が転動して内障子５及び外障子６が見付け方向に移動する。
【００１７】
下枠４は、躯体に取り付けられる下枠本体１０と、下枠本体１０に見付け方向に沿って設けられた凹部１０ａに配置され２本の下レール１２、１３を備えた下レール部材１１とを有している。下レール部材１１は、下枠本体１０に当接される脚部１１ａを有し、下枠本体１０の凹部１０ａを覆うように形成された台座部１１ｂと、台座部１１ｂの上面１１ｃから見込み方向に互いに間隔を隔てて上方に突出された２本の下レール１２、１３とを有している。２本の下レール１２、１３は、脱衣室側に設けられて内障子５を案内する内下レール１２と浴室側に設けられて外障子６を案内する外下レール１３であり、２本の下レール１２、１３の間には、内障子５と外障子６との間をシールするシール材１４の取付部１１ｄが設けられている。
【００１８】
本実施形態のレール部材１１は、アルミニウム製の押出部材であるため、全体の肉厚がほぼ均一に形成されているが、２本の下レール１２、１３は戸車８の溝９と係合されて、内障子５及び外障子６を安定した状態にて支持するために、上端部１２ａ、１３ａが台座部１１ｂ側より見込み方向の幅が広げられている。ここで、内下レール１２は上端部１２ａが脱衣室側に拡幅されており、外下レール１３は上端部１３ａが浴室側に拡幅されている点で内下レール１２と外下レール１３とは相違するが、縦断面形状は線対称となる形状に形成されている。このため、ここでは、下レール１２、１３の形状を、外下レール１３を例に挙げて説明し、内下レール１２の形状については説明を省略する。
【００１９】
外下レール１３の上端部１３ａは、見込み方向において、台座部１１ｂ側の幅の約２倍の幅を有しており、拡幅された上端部１３ａの断面形状は、見込み方向に長いほぼ長方形状をなしており、見込み方向の両端部の上縁となる角部１３ｂは、先が円弧状をなすように丸められている。そして、ほぼ長方形状をなす上端部１３ａの上面１３ｃには、見込み方向における中央に、上方に突出した突出部１３ｄが見付け方向の全域に設けられている。
【００２０】
突出部１３ｄは、上方に突出する円弧状をなしており、突出部１３ｄの曲率は、載置される戸車８が有する溝９の曲率より大きく、丸められた角部１３ｂの曲率と同じか、または、角部１３ｂの曲率より大きく形成されている。突出部１３ｄの下縁１３ｅと先が丸められた２つの角部１３ｂとの間は水平面１３ｆにて繋がっている。このため、突出部１３ｄの先端となる上端１３ｇは、２つの丸められた角部１３ｂのいずれの部位、すなわち、角部１３ｂにおける最も高い部位よりも高い位置に設けられている。
【００２１】
そして、外下レール１３に外障子６が設置されたときには、図２に示すように、外障子６が備える戸車８の溝９の内周面９ａに、外下レール１３の２つの丸められた角部１３ｂが当接する状態にて外障子６が支持される。このとき、外下レール１３に設けられた突出部１３ｄの上端１３ｇと溝９の内周面９ａとの間には空隙１５が形成されており、突出部１３ｄの上端１３ｇと溝９の内周面９ａとは接触していない。ここで、外下レール１３の２つの丸められた角部１３ｂ及び内下レール１２の２つの丸められた角部が、下レールの見込み方向に互いに間隔を隔てた位置に設けられた２つの支持部に相当する。
【００２２】
外障子６が枠体に設置された状態から、長期にわたって使用すると、外下レール１３の角部１３ｂと戸車８の溝９との接触部に摩耗が生じることにより、図３に示すように、戸車８の溝９の内周面９ａが突出部１３ｄに近づき、接触するようになる。戸車８の溝９の内周面９ａと突出部１３ｄとが接触した後には、２つの丸められた角部１３ｂと突出部１３ｄとにより戸車８を支持した状態にて外障子６が移動する。内障子５と内下レール１２においても同様である。
【００２３】
本実施形態の浴室建具１によれば、内障子５及び外障子６に設けられた戸車８を案内する下レール１２、１３は、見込み方向における両端に戸車８の溝９と係合して内障子５及び外障子６を支持する２つの角部１３ｂと、２つの角部１３ｂの間に上方に突出する突出部１３ｄを有しており、内障子５及び外障子６が下レール１２、１３上に設置されたときには、突出部１３ｄの上端１３ｇと溝９の内周面９ａとの間に空隙１５が形成されている。このため、内障子５及び外障子６が下レール１２、１３上に設置された状態が維持されている初期の段階では、下レール１２、１３は見込み方向における両端の角部１３ｂのみが接触しているで、下レール１２、１３の塗膜が剥がれたとしても、塗膜の剥がれは下レール１２、１３の見込み方向における両端の角部１３ｂのみに線状に現れるので、塗膜の剥がれが目立つことを抑えることが可能である。
【００２４】
また、長期にわたって使用した場合には、角部１３ｂ及び戸車８の溝９の内周面９ａが摩耗したとしても、２つの角部１３ｂの間に設けられた突出部１３ｄが溝９に接触するので、下レール１２、１３の上端の全面が戸車８の溝９に接触することはない。このため、長期に使用しても、生じる塗膜の剥がれは３本の線状なので、美観が損なわれることを防止することが可能である。特に、突出部１３ｄの曲率は溝９の曲率より大きいので、突出部１３ｄと溝９との接触面積をより小さくすることが可能である。このため、塗膜の剥がれをより小さくして目立ちにくくすることが可能である。
【００２５】
また、突出部１３ｄの位置は２つの角部１３ｂの位置より高いので、長期間使用して、角部１３ｂや溝９が摩耗したとしても、突出部１３ｄより先に角部１３ｂの周辺が溝９に接触することを防止することが可能である。さらに、突出部１３ｄは、２つの角部１３ｂを繋ぐ水平面１３ｆから突出しているので、突出部１３ｄを角部１３ｂより確実に高い位置に設けることができる。このため、長期間使用したとしても、突出部１３ｄより先に角部１３ｂや突出部１３ｄ以外の部位が溝９に接触することをより確実に防止することが可能である。
【００２６】
また、突出部１３ｄの曲率を、角部１３ｂの曲率と同じか、または、角部１３ｂの曲率より大きくしたので、角部１３ｂより突出部１３ｄの方が溝９との接触面積が小さくなる。このため、突出部１３ｄが接触して生じる塗膜の剥がれの幅を、少なくとも角部１３ｂと接触して生じた塗膜の剥がれの幅以下に抑えることが可能である。
【００２７】
また、突出部１３ｄが見込み方向において２つの角部１３ｂの中央に設けられているので、突出部１３ｄが溝９と接触する際には、突出部１３ｄと２つの角部１３ｂとがほぼ均等の間隔で溝９と接触する。このため、２つの角部１３ｂの一方と接触して生じた塗膜の剥がれと突出部１３ｄと接触して生じた塗膜の剥がれとが近接した位置に生じたり、繋がって幅が広くなってしまうことを防止することが可能である。また、突出部１３ｄと２つの角部１３ｂとがバランス良く溝９と接触するので、内障子５及び外障子６を安定した状態で支持することが可能である。
【００２８】
上記実施形態においては、引き違いタイプの浴室建具を例に挙げて説明したが、これに限るものではなく、障子に設けられた戸車が下枠に設けられた下レールに案内されて見付け方向に移動する少なくとも１枚の引戸を有する建具であれば構わない。
【００２９】
また、上記実施形態においては、引戸を支持する支持部を外下レール１３の２つの丸められた角部１３ｂ及び内下レール１２の２つの丸められた角部としたが、２つの支持部は必ずしも角部でなくともよく、見込み方向において互いに間隔を隔てた位置に設けられて引戸を支持可能であれば構わない。
【００３０】
また、上記実施形態においては、下レール１２、１３の見込み方向の両端に設けられた角部１３ｂの間に、上方に突出する突出部１３ｄを１つ設けた例について説明したが、図４に示すように、突出部１３ｄを複数備えても構わない。この場合には、支持される内障子５及び外障子６の安定した状態が保たれるようにバランス良く配置することが望ましい。
【００３１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３２】
１  浴室建具、４  下枠、５  内障子、６  外障子、８  戸車、９  溝、
９ａ  内周面、１２  内下レール（下レール）、１３  外下レール（下レール）、
１３ｂ  角部、１３ｄ  突出部、１３ｆ  水平面、１３ｇ  突出部の上端、
１５  空隙
【図１】
0005840538.tif 000002
【図２】
0005840538.tif 000003
【図３】
0005840538.tif 000004
【図４】
0005840538.tif 000005